(57)【要約】【課題】簡単な構成で低コスト、且つ、多種類の幅のシートを位置修正可能なシート位置修正機構を備えた搬送装置を設けた画像形成装置を提供すること。【解決手段】シートの両面に印字を行うためのシートを搬送する搬送路と、シートを搬送する搬送手段としての搬送ローラ対と、を備えた搬送装置を設けた画像形成装置において、搬送装置に、画像形成装置本体に対して位置決めを行い、搬送装置に対してその位置が調整可能である位置決め部と、位置決め部の位置を調整する調整手段と、を設ける。【選択図】図１
2006076708.tif 000002
【特許請求の範囲】
【請求項１】
記録媒体の両面に印字を行うための記録媒体を搬送する搬送路と、前記記録媒体を搬送する搬送手段としての搬送ローラ対と、を備えた搬送装置を設けた画像形成装置において、
前記搬送装置に、前記画像形成装置本体に対して位置決めを行い、前記搬送装置に対してその位置が調整可能である位置決め部と、前記位置決め部の位置を調整する調整手段と、を設けたことを特徴とする画像形成装置。
【請求項２】
前記位置決め部は、前記搬送装置の記録媒体搬送方向にその位置を調整可能であることを特徴とする請求項１記載の画像形成装置。
【請求項３】
前記搬送装置は、画像形成装置に設けられた開閉可能な扉部材に設けられていることを特徴とする請求項１又は２記載の画像形成装置。
【請求項４】
前記搬送装置は、前記扉部材に上下方向を移動自在に設けられ、前記搬送装置と前記扉部材の何れか一方又は両方に前記搬送装置を浮遊状態に保持する付勢手段を設けたことを特徴とする請求項３記載の画像形成装置。
【請求項５】
前記扉部材には、前記搬送装置の位置決め部とは別に、前記画像形成装置本体への位置決めを行う位置決め部を設けたことを特徴とする請求項４記載の画像形成装置。
【請求項６】
前記位置決め部は、前記搬送装置と前記画像形成装置の何れか一方が少なくとも２個の円柱形状部材であって、他方は前記円柱形状部材が嵌合する穴形状部材又は凹形状部材であって、前記円柱形状部材か穴形状部材又は凹形状部材の何れか一方の１個がその位置を調整可能に設けられていることを特徴とする請求項１〜４の何れかに記載の画像形成装置。
【請求項７】
前記搬送装置を搬送した記録媒体の側端の位置を検知する検知手段を設けたことを特徴とする請求項１〜６の何れかに記載の画像形成装置。
【請求項８】
前記搬送装置に前記検知手段を設けたことを特徴とする請求項７記載の画像形成装置。
【請求項９】
前記検知手段により記録媒体の側端の位置を検知し、検知結果から前記位置決め部の調整の要不要判断を行う判断手段と、該判断手段による判断の結果を表示する表示手段と、を設けたことを特徴とする請求項７又は８記載の画像形成装置。
【発明の詳細な説明】
【技術分野】
【０００１】
本発明は、電子写真画像形成装置に関し、中でも記録媒体の両面に印字を行うための両面搬送路及び両面搬送路に記録媒体を搬送する搬送ローラ対を設けた画像形成装置に関する。ここで、電子写真画像形成装置（以下、画像形成装置と称する）は、電子写真画像形成プロセスを用いて記録媒体に画像を形成するもので、例えば電子写真複写機、電子写真プリンター（例えば、ＬＥＤプリンタ、レーザービームプリンタ等）、電子写真ファクシミリ装置、電子写真ワードプロセッサー等が含まれる。
【背景技術】
【０００２】
従来、電子写真画像形成プロセスを用いて記録媒体に画像形成する画像形成装置としては以下に示す構成となっている。ここでは、カラー画像を形成することのできる画像形成装置を用いて説明する。
【０００３】
図１５において、画像形成装置Ｃは４ドラムフルカラー方式の画像形成装置であり、５０Ｙ，５０Ｍ，５０Ｃ，５０Ｋは電子写真感光ドラム（以下、感光ドラムと称する）で、それぞれイエロー、マゼンダ、シアン、ブラックの各色の現像材（トナー）を備えた各画像形成ステーションに設けられている。
【０００４】
各感光ドラム５０Ｙ，５０Ｍ，５０Ｃ，５０Ｋの表面には、それぞれに対応したレーザスキャナ装置５１Ｙ，５１Ｍ，５１Ｃ，５１Ｋから、図示しない画像データ入力部からの画像データに基づいて発せられたレーザ光により露光されて潜像が形成され、更にそれぞれイエロー、マゼンダ、シアン、ブラックの各色の現像材によって現像されてトナー像が形成される。５２は中間転写ベルトで、各感光ドラム５０Ｙ，５０Ｍ，５０Ｃ，５０Ｋで形成された各色毎のトナー像が一次転写される。画像形成装置Ｃの下部に装着された給紙カセット５３には記録媒体であるシートＳが積載されており、給紙ローラ５４により給紙され、フィード・リタードローラ対５５、搬送ローラ対５６により搬送され、駆動停止しているレジストローラ対５７に搬送される。
【０００５】
又、マルチ給紙部４０からの給紙が指定された場合は、マルチ給紙トレー４１に記録媒体であるシートＳが積載されており、マルチ給紙ローラ対４２により給紙され、搬送ローラ対４３により搬送されて、駆動停止しているレジストローラ対５７に搬送される。
【０００６】
上記シートＳは、レジストローラ対５７により斜行が補正された後、所定のタイミングで二次転写部６０へ搬送されて中間転写ベルト５２上のトナー像が転写され、次いで二次転写装置６０の二次転写ローラ６０ａと中間転写ベルト５２により、定着器６１に搬送されてトナー像の定着が行われる。シートＳへの画像形成が片面のみと指定された場合、フラッパ６４を不図示の制御手段及び駆動手段により実線で示す位置に動かすことにより、前記定着器６１を通過したシートＳは、フラッパ６４の左下側を通過し、排紙ローラ対６５に搬送され排紙トレー６６上に画像形成面を下にして排出積載される。
【０００７】
又、続いてシートＳの裏面に画像を形成するように指定された場合、フラッパ６４を不図示の制御手段及び駆動手段により二点鎖線で示す位置に動かすことにより、反転装置８１に設けた搬送ローラ対７０を経由して反転ローラ対７１を用いてシートＳの搬送方向を前後反転させ、両面搬送経路７２に導く。シートＳは、搬送装置８２に設けた両面搬送ローラ対７３，７４，７５を用いて再びレジストローラ対５７へと搬送され、斜行が補正された後、所定のタイミングで二次転写部６０へ搬送されて中間転写ベルト５２上のトナー像がシートＳの裏面に転写される。次いで、二次転写装置６０の二次転写ローラ６０ａと中間転写ベルト５２により、定着器６１に搬送されてシートＳの裏面へのトナー像の定着が行われ、排紙トレー６６に搬送・排紙される。
【０００８】
図１５に示す画像形成装置は給紙ローラ５４から排出ローラ対６５までのシートＳが搬送される搬送経路の断面形状がアルファベットのＣを裏から見た形状に似ているので、Ｃパス形状の画像形成装置と呼ばれる。
【０００９】
Ｃパス形状の画像形成装置で両面搬送経路を備えた画像形成装置は、図１５に示すように従来、給紙ローラ５４から排紙ローラ対６５までのＣパス形状の搬送経路の横に、反転ローラ対７１からレジストローラ対５７までが同様にＣパス形状の搬送経路を備える構成になっている（例えば、特許文献１参照）。
【００１０】
【特許文献１】特開平０９−３０９６５５号公報（第５頁、図１）
【発明の開示】
【発明が解決しようとする課題】
【００１１】
両面印字を行うシートＳに１面目の印字を行った後に、両面搬送経路を搬送して２面目の印字を行うまで、シートＳは長い距離を搬送されるため、搬送途中でシートＳの搬送方向に対して垂直な方向のシートＳの位置がずれてしまう。その結果、２面目の印字を行うと形成した画像の位置がシートＳに対してずれ、所望の位置に画像を形成できないという問題があった。
【００１２】
これに対して、従来、両面搬送経路途中にシートＳの搬送方向に対して垂直な方向のシートＳの位置を合わせるためのシート位置修正機構が設けられた画像形成装置も一般的に知られている。
【００１３】
シート位置修正機構としては代表的なものとして２つの機構が知られている。
【００１４】
即ち、第１の機構としては、両面搬送経路の途中にシートＳの両側端をガイドする移動可能なガイド壁を設けて、シートＳの幅に応じてガイド壁を所定の位置に移動させ、搬送されてきたシートＳの両側端をガイドして位置を修正する機構である（例えば、特許第２８０３６７４号公報：第５頁、図４参照）。この機構では移動可能なガイド壁の一方をバネ等によりシートＳ側に付勢し、その付勢力によりシートＳを対向するガイド壁に突き当てて位置を修正する。又、シートＳをガイド壁に突き当てる時にはシートＳが自由に移動できなければならず、そのために一旦シートＳをローラ対の拘束から開放させるためにローラ対の接触を離間しなければならない。更に、自由になったシートＳを搬送方向と垂直な方向に移動させるためには、シートＳができるだけ水平な状態になっていることが望ましい。
【００１５】
これに対してＣパス形状の画像形成装置の両面搬送路は、図１５に示すように、シートＳが水平な状態になっている搬送路が図１５に示すＬの範囲しかなく、短く第１のシート位置修正機構を設けることが困難であった。又、前記第１のシート位置修正機構は、移動可能なガイド壁やガイド壁を所定の位置に移動させる駆動部、ローラ対の接触を開放させるローラ開放機構等が必要であるため、複雑な構成となりコストが高かった。
【００１６】
第２の機構としては、両面搬送路の途中にシートＳの一側端を突き当てるガイド壁を設け、両面搬送経路途中の両面搬送ローラをこのガイド壁にシートＳを突き当て沿わせて搬送させるために傾斜させて設ける（以下、斜送ローラと称する）構成のものである。両面搬送ローラが傾斜した斜送ローラであるために斜送ローラで搬送されたシートＳはガイド壁に突き当たって搬送されるので、その位置を修正される。
【００１７】
この構成は簡単な構成でありコストも安いが、各サイズのシートの中央を基準にしてシートを搬送する位置を設定した、所謂用紙中央基準の画像形成装置においては、ガイド壁の数が限定されるため、位置修正を行うことのできるシートの数が限定されるという問題がある。基本的には、搬送可能なシートの中で最も幅の広いシートの位置修正しかできないか、最も幅の広いシートを含めて２種類程度のシートの位置修正しかできない。
【００１８】
Ａ３幅のシートが搬送可能な画像形成装置においては、前記用紙中央基準の画像形成装置が多く、シートの幅は多種類があるが、この構成ではその多種類の幅のシートを位置修正することは困難であった。
【００１９】
従って、本発明の目的とする処は、簡単な構成でコストが安く、多種類の幅のシートを位置修正可能なシート位置修正機構を備える画像形成装置を提供することにある。
【課題を解決するための手段】
【００２０】
本発明では、シートの両面に印字を行うためのシートを搬送する搬送路と、シートを搬送する搬送手段としての搬送ローラ対と、を備えた搬送装置を設けた画像形成装置において、搬送装置に、画像形成装置本体に対して位置決めを行い、搬送装置に対してその位置が調整可能である位置決め部と、位置決め部の位置を調整する調整手段と、を設けたことを特徴とする。
【００２１】
又、位置決め部を搬送装置のシート搬送方向にその位置を調整可能とすることにより、両面搬送路の両面搬送ローラのアライメントを画像形成装置本体に対して変えることができるので、シートの搬送方向を変更でき、２面目の印字を行うときのシートの位置を変更することができるようにしたものである。
【００２２】
又、搬送装置を画像形成装置に設けられた開閉可能な扉部材に設けることにより、扉部材を開放して簡便に位置決め部の位置を調整できるようにしたことを特徴とする。
【００２３】
又、搬送装置を扉部材に上下方向を移動自在に設け、搬送装置と扉部材の何れか一方又は両方に搬送装置をフローティング状態に保持する付勢手段を設けることにより、扉部材の重量が搬送装置の位置決め部に掛からず、位置決め部が更に簡単でコストの安い構成にできるようにしたものである。
【００２４】
又、扉部材には、搬送装置の位置決め部とは別に、画像形成装置本体への位置決めを行う位置決め部を設けたことを特徴とする。
【００２５】
又、位置決め部は搬送装置と画像形成装置の何れか一方が少なくとも２個の円柱形状部材であって、他方は円柱形状部材が嵌合する穴形状部材又は凹形状部材であって、円柱形状部材か穴形状部材又は凹形状部材の何れか一方の１個がその位置を調整可能に設けたことを特徴とする。
【００２６】
又、搬送装置を搬送したシートの側端の位置を検知する検知手段を設けることにより、搬送装置を搬送したシートの側端の位置が検知でき、検知手段により検知したシートの側端の位置を所望の側端の位置と比較し位置決め部の調整の要不要判断を行う判断手段を設けることにより、調整の要否が自動的に判断でき、判断手段による判断の結果を表示する表示手段を設けることにより、オペレータに調整の要否を知らせることができるようにしたことを特徴とする。
【発明の効果】
【００２７】
本発明によれば、シートの両面に印字を行うためのシートを搬送する搬送路と、シートを搬送する搬送手段としての搬送ローラ対と、を備えた搬送装置を設けた画像形成装置において、搬送装置に、画像形成装置本体に対して位置決めを行い、搬送装置に対してその位置が調整可能である位置決め部と、位置決め部の位置を調整する調整手段と、を設けたことにより、簡単な構成でコストが安く、且つ、多種類の幅のシートを位置修正可能なシート位置修正機構を設けた搬送装置を備えた画像形成装置を提供することができる。
【００２８】
又、位置決め部を搬送装置のシート搬送方向にその位置を調整可能とすることにより両面搬送路の両面搬送ローラのアライメントを画像形成装置本体に対して変えることができるので、シートの搬送方向を変更でき、２面目の印字を行うときのシートの位置を変更することができる。
【００２９】
更に、搬送装置を画像形成装置に設けられた開閉可能な扉部材に設けることにより、扉部材を開放して簡便に位置決め部の位置を調整できる。
【００３０】
又、搬送装置を扉部材に上下方向を移動自在に設け、搬送装置と扉部材の何れか一方又は両方に搬送装置をフローティング状態に保持する付勢手段を設けることにより、扉部材の重量が搬送装置の位置決め部に掛からず、位置決め部が更に簡単でコストの安い構成にできる。
【００３１】
又、扉部材には、搬送装置の位置決め部とは別に、画像形成装置本体への位置決めを行う位置決め部を設けたことにより、扉部材独自に、所望の位置に位置決めを行うことができ、扉部材の周囲の外観部品との隙間を良好に保つことができる。
【００３２】
又、位置決め部は搬送装置と画像形成装置の何れか一方が少なくとも２個の円柱形状部材であって、他方が円柱形状部材が嵌合する穴形状部材又は凹形状部材であって、円柱形状部材か穴形状部材又は凹形状部材の何れか一方の１個がその位置を調整可能に設けることにより、簡単な構成でコストの安いシート位置修正機構を提供することができる。
【００３３】
又、搬送装置を搬送したシートの側端の位置を検知する検知手段を設けることにより、搬送装置を搬送したシートの側端の位置が検知でき、検知手段により検知したシートの側端の位置を所望の側端の位置と比較し位置決め部の調整の要不要判断を行う判断手段を設けることにより、調整の要否が自動的に判断でき、判断手段による判断の結果を表示する表示手段を設けることにより、オペレータに調整の要否を知らせることができる。
【発明を実施するための最良の形態】
【００３４】
以下、本発明の実施の形態を添付図面を用いて詳細に説明する。
【００３５】
＜実施の形態１＞
本発明の実施の形態１を図１〜図７に基づいて説明する。
【００３６】
図１は画像形成装置に設けられた両面搬送路を備えた搬送装置と、搬送装置が固定され画像形成装置本体に対して開閉可能である扉の斜視図、図２は画像形成装置本体のフレームの斜視図、図３は搬送装置の位置決め部の斜視図、図４及び図５は位置決め部の機構を示す詳細図、図６は位置決め部の動作を示す図、図７はシートの搬送方向を示す図である。
【００３７】
図１において、１は画像形成装置本体に対して開閉可能な扉、２は両面搬送路を備えた搬送装置、３及び４は扉１を画像形成装置本体に閉じたときに搬送装置２と扉１を画像形成装置本体へ位置決めする位置決め部、５は扉１の開閉中心となるヒンジである。搬送装置２は扉１に固定され、扉１と共に一体的に画像形成装置本体に対してヒンジ５を中心にして開閉する。
【００３８】
一方、図２において、Ｃは画像形成装置本体、６はフレーム、７及び８は扉１及び搬送装置２の位置決めを行う位置決め部、９は扉１の開閉時の回転中心となるヒンジである。位置決め部７及び８は、扉１を開閉したときの搬送装置の位置決め部３及び４の軌跡を考慮して横に長い長丸形状の穴になっている。
【００３９】
図３は搬送装置の位置決め部の斜視図であり、（ａ）はヒンジ５に近い側の位置決め部３の詳細図、（ｂ）はヒンジから遠い側の位置決め部４の詳細図である。図３（ａ）において、ヒンジに近い側の位置決め部３は円柱形状をしており、ベースの部材に固定されている。先端には画像形成装置本体の位置決め部７に挿入し易いように面取り形状が施されている。
【００４０】
図３（ｂ）において、ヒンジから遠い側の位置決め部４は位置決め部３と同様に円柱形状をしており、先端には同様に面取り形状が施されているが、その位置を矢印Ａ方向に移動可能となっている。
【００４１】
図４（ａ）は位置決め部４のカバーを外した図であり、位置決め部材１０には２個の貫通穴が開いており、その貫通穴にはロッド１１及び１２が挿入される。ロッド１１及びロッド１２は、図４（ｂ）に示すように、端部の軸部１３，１４に対して、位置決め部材１０に挿入される部分１５，１６が偏心した円柱形状となっている。又、ロッド１１及びロッド１２には、互いを連結するリンク１７が掛けられており、ロッド１１が回転すると同じ角度をロッド１２も回転するようになっている。
【００４２】
ロッド１１の一端には、その回転方向の位置を固定する突起１８が設けられており、突起１８に対応してその脇には固定プレート１９が設けられている。固定プレート１９には、図５に示すように、複数の溝２０が設けられており、その溝２０にロッドの突起１８が嵌ることによってロッド１１の回転方向の位置が決まる。又、ロッド１１は、バネ２１により常に固定プレート１９側に付勢されており、これにより溝２０に安定してロッドの突起１８が嵌っている。
【００４３】
位置決め部４の位置を調整したい場合は以下の手順により行う。
【００４４】
図３（ｂ）の矢印Ｂ方向にロッド１１を押し込むと、ロッドの突起１８が固定プレートの溝２０から開放されてロッド１１は回転自在となる。ロッド１１を図４（ｂ）の矢印Ｃ方向に回転させると、図６に示すように、図６（ａ）の状態から偏心した円柱形状部１５が図６（ｂ）に示すように上方へ持ち上がる。ロッド１１とロッド１２はリンク１７により連結されているので、ロッド１２も同様に矢印Ｃ方向へ回転し、その円柱形状部１６が同様に持ち上がる。ロッド１１とロッド１２の円柱形状部が持ち上がるので、円柱形状部が挿入されている位置決め部材の貫通穴も持ち上がり、以って位置決め部材１０が持ち上がってその位置が変わる。
【００４５】
ロッド１１を反対に図４（ｂ）の矢印Ｄ方向に回転させると、上記とは反対にロッド１１とロッド１２の円柱形状部１５，１６は下方に下がり、位置決め部材１０も下方に下がる。
【００４６】
このようにして位置決め部材の位置を変わて画像形成装置本体に扉１を閉じると、扉１と搬送装置２はその位置が変わる。図７に示すように、搬送装置の位置決め部材が上方へ持ち上がると、搬送装置は位置決め部材３を中心して矢印Ｅ方向に回転する。これにより搬送装置の搬送ローラ２２，３６，３７は傾く。搬送ローラ２２，３６，３７が傾いた状態でシートを通紙すると、傾いた搬送ローラ２２，３６，３７によって搬送されたシートはその搬送方向を変え、矢印Ｆ方向に搬送される。これにより２回目の印字を行うべく画像形成装置の転写部へ搬送されたシートはその位置を変えることができる。
【００４７】
以上、述べたように本実施の形態により、扉に固定された両面印字用の搬送装置の画像形成装置本体への位置決め部をその位置を調整可能とすることにより、簡単な構成と安いコスト及び簡単な操作で２面目の印字を行うべく搬送されるシートの左右位置を調整することができる。
【００４８】
＜実施の形態２＞
次に、本発明の実施の形態２を図８〜図１０に基づいて説明する。
【００４９】
図８は搬送装置の斜視図、図９は扉の斜視図、図１０は搬送装置と扉の斜視図である。本実施の形態においては、搬送装置と扉の固定形態が実施の形態１と異なり、他の同一の部分には同一の番号を付して説明する。図８は搬送装置を裏から見た図であり、図８において、搬送装置２は、以下の構成となっている。搬送装置本体２３には固定板２４がバネ２５を介して設けられており、固定板２４にはコネクタ２６と固定機構３４が設けられている。
【００５０】
図９において、扉１にはコネクタ２７、搬送装置の固定板２４を固定する固定板２８が設けられている。
【００５１】
搬送装置２を扉１に取り付けると、固定板２４の固定機構３４が扉１の固定板２８に固定されることで、図１０に示すように、搬送装置２は扉１に固定されるようになっている。搬送装置本体２３は、図８に示すバネ２５により扉１に対して宙吊り、所謂浮遊状態、フローティング状態になっている。搬送装置の位置決め部がその位置を調整可能であること、位置決め部材の調整機構の詳細等は実施の形態１と同じであるので、それらについての説明は省略する。
【００５２】
この状態で、扉１を画像形成装置本体に閉じると、搬送装置２はその位置決め部３，４が画像形成装置本体の位置決め部７，８に位置決めされることによって、搬送装置２の位置決めが行われる。搬送装置２は、扉１に対してフローティング状態になっているため、搬送装置の位置決め部には搬送装置自身の重量とバネ２５のバネ力のみが作用し、扉１の重量は作用しない。
【００５３】
そのため、搬送装置の位置決め部４の構造を非常に強固に作る必要はなく、実施の形態１に比べて簡単な構造にすることができる。
【００５４】
よって、本実施の形態である、搬送装置を扉に対しフローティング状態にすることで、搬送装置の位置決め部をより簡単な構造にすることができ、更に安いコストでシートの左右位置を調整することができる。
【００５５】
＜実施の形態３＞
次に、本発明の実施の形態３を図１１〜図１３に基づいて説明する。
【００５６】
図１１は扉の斜視図、図１２は画像形成装置本体の斜視図、図１３は搬送装置と扉の斜視図である。本実施の形態においては、扉の構成が実施の形態１及び２と異なり、他の同一の部分には同一の番号を付して説明する。
【００５７】
図１１において、扉１の下方にはマルチ給紙部２９が設けられている。マルチ給紙部２９はカット紙以外に、カード、封筒、ＯＨＴシート、バナー紙等の給紙が可能であり、不図示のトレイに上記メディアを載置して画像形成装置本体に給紙する。又、扉１には位置決め部３０，３１が設けられている。
【００５８】
図１２において、画像形成装置本体には実施の形態１と同様に位置決め部７，８が設けられており、その下方には別の位置決め部３２，３３が設けられている。この位置決め部３２，３３は２箇所共に横に長い長丸形状の穴であり、図１１に示す扉に設けられた位置決め部３０，３１が嵌って扉の位置が決まるようになっている。
【００５９】
扉１に搬送装置２を装着すると、図１３に示すように、位置決め部としては、搬送装置の位置決め部３，４と扉の位置決め部３０，３１とがある。搬送装置２は、実施の形態２と同様に扉１に対してフローティング状態に支持されている。よって、扉１を画像形成装置本体に閉じると、搬送装置２は位置決め部３，４が画像形成装置本体の上方の位置決め部７，８に嵌って位置が決まり、扉は位置決め部３０，３１が画像形成装置本体下方の位置決め部３２，３３に嵌って位置が決まる。
【００６０】
よって、本実施の形態により、搬送装置と扉の位置決めと独立して行えるので、搬送装置は位置調整可能な位置決め部により、所望の位置に位置決めでき、所望の位置にシートを搬送できる。又、扉は所望の位置に位置決めでき、他の外観部品との隙間等を良好に保つことができる。
【００６１】
＜実施の形態４＞
次に、本発明の実施の形態４を図１４に基づいて説明する。尚、図４は本実施の形態に係る画像形成装置本体の主断面図である。本実施の形態においては、紙端検知センサの有無が実施の形態１〜３と異なり、他の同一の部分には同一の番号を付して説明する。
【００６２】
図１４において、搬送装置８２の搬送方向下流には紙端検知センサ３５が設けられている。紙端検知センサ３５は２面目の印字を行うべく搬送させてきたシートＳの紙端位置を検知する。
【００６３】
シートＳの紙端位置を検知した後、シートＳの紙端位置が所望の位置の範囲内に収まっているかチェックし、搬送装置の位置調整が必要かどうかを不図示の判断手段により判断する。判断結果が搬送装置の位置調整が必要である場合、不図示の表示手段により、搬送装置の位置調整の必要性を表示し、オペレータに位置調整を行うよう表示する。表示手段に位置調整の操作手順を表示しても良い。
【００６４】
よって、本実施の形態により、紙端検知センサを設けて、搬送されるシートの紙端位置をチェックし、搬送装置の位置調整の要否を判断し、その結果を表示するので、オペレータが簡便に位置調整の必要性を知ることができる。
【００６５】
尚、本実施の形態において、紙端検知センサを搬送装置内に設けたが、これに限らず、２面目印字の搬送経路内であればどこでも良く、画像形成装置本体内でも良い。
【図面の簡単な説明】
【００６６】
【図１】本発明の実施の形態１に係る画像形成装置に設けられた両面搬送路を備えた搬送装置と搬送装置が固定され画像形成装置本体に対して開閉可能な扉の斜視図である。
【図２】本発明の実施の形態１に係る画像形成装置本体のフレームの斜視図である。
【図３】本発明の実施の形態１に係る搬送装置の位置決め部の斜視図である。
【図４】本発明の実施の形態１に係る位置決め部の機構を示す詳細図である。
【図５】本発明の実施の形態１に係る位置決め部の機構を示す詳細図である。
【図６】本発明の実施の形態１に係る位置決め部の動作を示す図である。
【図７】本発明の実施の形態１に係るシートの搬送方向を示す図である。
【図８】本発明の実施の形態２に係る搬送装置の斜視図である。
【図９】本発明の実施の形態２に係る扉の斜視図である。
【図１０】本発明の実施の形態２に係る搬送装置と扉の斜視図である。
【図１１】本発明の実施の形態３に係る扉の斜視図である。
【図１２】本発明の実施の形態３に係る画像形成装置本体の斜視図である。
【図１３】本発明の実施の形態３に係る搬送装置と扉の斜視図である。
【図１４】本発明の実施の形態４に係る画像形成装置の主断面図である。
【図１５】従来の画像形成装置の主断面図である。
【符号の説明】
【００６７】
１          扉
２，８２    搬送装置
３，４      搬送装置に設けられた位置決め部
５，９      ヒンジ
６          フレーム
７，８      画像形成装置に設けられた位置決め部
１０        位置決め部材
１１，１２  ロッド
１３，１４  ロッドの軸部
１５，１６  ロッドの円柱形状部
１７        リンク
１８        ロッドの突起
１９        固定プレート
２０        固定プレートの溝
２１        バネ
２２，３６，３７  搬送装置の搬送ローラ
２３        搬送装置本体
２４，２８  固定板
２５，２７  コネクタ
２６        固定ビス
２９，４０  マルチ給紙部
３０，３１  扉に設けられた位置決め部
３２，３３  画像形成装置の下方に設けられた位置決め部
３４        搬送装置の固定機構
３５        紙端検知センサ
４１        マルチ給紙トレー
４２        マルチ給紙ローラ
４３，５６，７０  搬送ローラ対
５０Ｙ，５０Ｍ，５０Ｃ，５０Ｋ  感光ドラム
５１Ｙ，５１Ｍ，５１Ｃ，５１Ｋ  レーザスキャナ装置
５２        中間転写ベルト
５３        給紙カセット
５４        給紙ローラ
５５        フィード・リタードローラ対
５７        レジストローラ対
６０        二次転写部
６０ａ      二次転写ローラ
６１        定着器
６４        フラッパ
６５        排紙ローラ対
６６        排紙トレー
７１        反転ローラ対
７２        両面搬送経路
７３，７４，７５  両面搬送ローラ対
８１        反転装置
Ｃ          画像形成装置
Ｓ          シート
【図１】
2006076708.tif 000003
【図２】
2006076708.tif 000004
【図３】
2006076708.tif 000005
【図４】
2006076708.tif 000006
【図５】
2006076708.tif 000007
【図６】
2006076708.tif 000008
【図７】
2006076708.tif 000009
【図８】
2006076708.tif 000010
【図９】
2006076708.tif 000011
【図１０】
2006076708.tif 000012
【図１１】
2006076708.tif 000013
【図１２】
2006076708.tif 000014
【図１３】
2006076708.tif 000015
【図１４】
2006076708.tif 000016
【図１５】
2006076708.tif 000017